(57)【要約】      （修正有）【課題】複数のユーザーの所望の色の箇所を、原稿画像からそれぞれ自動的に除去する画像処理装置を提供する。【解決手段】ユーザー特定部２３は、記憶装置１４のユーザー登録データ３１に基づいて、原稿画像に対応する複数のユーザーを特定する。特定色除去部２４は、ユーザー登録データ３１に関連付けられた色指定データ３２に基づいて、その複数のユーザーに対応する特定色を特定し、その原稿画像における特定色の箇所を除去する。【選択図】図１
2018186434.tif 000002
【特許請求の範囲】
【請求項１】
原稿画像に対応するユーザーを特定するユーザー特定部と、
前記ユーザーに対応する特定色を特定し、前記原稿画像における前記特定色の箇所を除去する特定色除去部と、
を備えることを特徴とする画像処理装置。
【請求項２】
色指定データと、前記ユーザーに前記色指定データを関連付けているユーザー登録データとを記憶する記憶装置をさらに備え、
前記特定色除去部は、前記ユーザーに関連付けられている前記色指定データを特定し、前記色指定データにより指定される色を、前記ユーザーに対応する特定色として特定すること、
を特徴とする請求項１記載の画像処理装置。
【請求項３】
前記ユーザー登録データにおいて、前記ユーザーに対して複数の色指定データを関連付けることができ、
前記特定色除去部は、前記ユーザーに前記複数の色指定データが関連付けられている場合、前記複数の色指定データによりそれぞれ指定される複数の色を、前記ユーザーに対応する複数の特定色として特定し、前記原稿画像における前記複数の特定色の箇所を除去することを特徴とする請求項２記載の画像処理装置。
【請求項４】
前記ユーザー登録データにおいて、複数のユーザーに対して１つの色指定データを関連付けることができることを特徴とする請求項２記載の画像処理装置。
【請求項５】
前記ユーザー登録データにおいて、１人のユーザーに対して複数の色指定データを関連付けることができ、
前記特定色除去部は、前記ユーザーに前記複数の色指定データが関連付けられている場合、前記複数の色指定データによりそれぞれ指定される複数の色を、前記ユーザーに対応する複数の特定色として特定し、前記原稿画像における、前記複数の特定色からユーザーにより選択された特定色の箇所を除去することを特徴とする請求項２記載の画像処理装置。
【請求項６】
前記色指定データは、当該色指定データにより指定される色で描かれた、文字または図形を示す画像データであることを特徴とする請求項２記載の画像処理装置。
【請求項７】
前記特定色除去部は、前記文字または図形の色範囲を前記特定色として特定し、前記原稿画像における、前記色範囲に属する色の箇所を除去することを特徴とする請求項６記載の画像処理装置。
【請求項８】
前記文字または図形を示す前記画像データを前記記憶装置に記憶させることで登録する色指定データ登録部をさらに備え、
前記色指定データ登録部は、前記画像データの背景色が白ではない場合には、前記画像データの背景色を白に変換した後で、前記画像データを登録すること、
を特徴とする請求項６記載の画像処理装置。
【発明の詳細な説明】
【技術分野】
【０００１】
本発明は、画像処理装置に関するものである。
【背景技術】
【０００２】
ある画像形成装置は、コピー時に、原稿画像の所定色（朱色など）の部分を消去した画像を形成している（例えば特許文献１参照）。
【先行技術文献】
【特許文献】
【０００３】
【特許文献１】特開平９−２１４７８２号公報
【発明の概要】
【発明が解決しようとする課題】
【０００４】
しかしながら、上述の画像形成装置の場合、複数のユーザーそれぞれの所望の色の箇所を除去したいときには、ユーザー操作によって除去したい色を指定する必要がある。
【０００５】
本発明は、上記の問題に鑑みてなされたものであり、複数のユーザーの所望の色の箇所を原稿画像からそれぞれ自動的に除去する画像処理装置を得ることを目的とする。
【課題を解決するための手段】
【０００６】
本発明に係る画像処理装置は、原稿画像に対応するユーザーを特定するユーザー特定部と、前記ユーザーに対応する特定色を特定し、前記原稿画像における前記特定色の箇所を除去する特定色除去部とを備える。
【発明の効果】
【０００７】
本発明によれば、複数のユーザーの所望の色の箇所を原稿画像からそれぞれ自動的に除去する画像処理装置が得られる。
【０００８】
本発明の上記又は他の目的、特徴および優位性は、添付の図面とともに以下の詳細な説明から更に明らかになる。
【図面の簡単な説明】
【０００９】
【図１】図１は、本発明の実施の形態に係る画像処理装置を示すブロック図である。
【図２】図２は、図１に示す画像処理装置１の動作について説明するフローチャートである。
【発明を実施するための形態】
【００１０】
以下、図に基づいて本発明の実施の形態を説明する。
【００１１】
【００１２】
図１は、本発明の実施の形態に係る画像処理装置を示すブロック図である。図１に示す画像処理装置１は、複写機であるが、複合機などでもよい。
【００１３】
この画像処理装置１は、印刷装置１１と、画像読取装置１２と、プロセッサー１３と、記憶装置１４と、表示装置１５と、入力装置１６とを備える。
【００１４】
印刷装置１１は、出力デバイスの一例であって、プロセッサー１３による各種画像処理後の画像データに基づいて原稿画像を、例えばＣＭＹＫ（シアン・マゼンタ・イエロー・ブラック）色のトナーを使用してカラーの電子写真プロセスで印刷する内部装置である。
【００１５】
また、画像読取装置１２は、原稿から原稿画像を光学的に読み取り、原稿画像のカラー画像データをＲＧＢ（レッド・グリーン・ブルー）データとして生成する内部装置である。
【００１６】
また、プロセッサー１３は、ＡＳＩＣ（Application Specific Integrated Circuit）やコンピューターを備え、各種処理部として動作する。
【００１７】
また、記憶装置１４は、フラッシュメモリーなどの、書き換え可能な不揮発性の記憶装置であり、各種データやプログラムを記憶している。
【００１８】
表示装置１５は、操作画面などをユーザーに対して表示する液晶ディスプレイなどの装置である。入力装置１６は、ユーザー操作を受け付けるタッチパネル、ハードキーなどの装置である。
プロセッサー１３は、制御部２１、ログイン処理部２２、ユーザー特定部２３、特定色除去部２４、画像処理部２５、および色指定データ登録部２６として動作する。
【００１９】
制御部２１は、印刷装置１１、画像読取装置１２などの内部装置を制御し、コピージョブなどの各種ジョブを実行する。
【００２０】
ログイン処理部２２は、ログイン画面に対して入力されるユーザー識別情報（ユーザーＩＤ、パスワードなど）に基づいて、ユーザー認証処理を行い、ユーザー認証に成功した場合、ログインを許可し、当該画像処理装置１を、ユーザーからのジョブ要求を受け付け可能な状態とする。
【００２１】
ユーザー特定部２３は、対象の原稿画像に対応するユーザーを特定する。例えば、原稿画像は、画像読取装置１２により原稿から読み取られた画像である。
【００２２】
また、この実施の形態では、ユーザー特定部２３は、ログイン処理部２２によりログインを許可されたユーザーを、その原稿画像に対応するユーザーとして特定する。
【００２３】
当該画像処理装置１の利用時にログインが不要である場合には、ユーザー特定部２３は、例えば、ユーザーリストを表示装置１５に表示し、入力装置１６に対するユーザー操作に基づいて、ユーザーリストからユーザーを選択し、選択したユーザーを、原稿画像に対応するユーザーとして特定する。あるいは、その場合、ユーザー特定部２３は、入力装置１６にしてテキスト入力されたユーザーＩＤなどに基づいて、原稿画像に対応するユーザーを特定する。
【００２４】
特定色除去部２４は、ユーザー特定部２３により特定されたユーザーに対応する特定色を特定し、前記原稿画像における特定色の箇所を除去する。
【００２５】
記憶装置１４には、ユーザー登録データ３１、および色指定データ３２が記憶されている。
【００２６】
ユーザー登録データ３１は、１または複数のユーザーについてのユーザー識別情報（ユーザーＩＤなど）を含み、ユーザー識別情報の示すユーザーに色指定データ３２を関連付けている。
【００２７】
色指定データ３２は、上述の特定色を示すデータである。ここで、特定色は、有彩色である。
【００２８】
したがって、この実施の形態では、特定色除去部２４は、ユーザー登録データ３１に基づいて、特定されたユーザーに関連付けられている色指定データ３２を特定し、特定した色指定データ３２により指定される色を、そのユーザーに対応する特定色として特定する。
【００２９】
ここで、ユーザー登録データ３１において、各ユーザーに対して複数の色指定データ３２を関連付けることができる。特定されたユーザーに対して複数の色指定データ３２が関連付けられている場合、特定色除去部２４は、その複数の色指定データ３２によりそれぞれ指定される複数の色を、そのユーザーに対応する複数の特定色として特定し、原稿画像におけるその複数の特定色の箇所を除去する。
【００３０】
また、ユーザー登録データに３１おいて、複数のユーザーに対して１つの色指定データ３２を関連付けることができる。つまり、１つの色指定データ３２が複数のユーザーに共有させることができる。
【００３１】
特定されたユーザーに複数の色指定データ３２が関連付けられている場合、特定色除去部２４は、その複数の色指定データ３２によりそれぞれ指定される複数の色を、そのユーザーに対応する複数の特定色として特定し、原稿画像における、複数の特定色の箇所を除去するようにしてもよい。
【００３２】
また、特定されたユーザーに複数の色指定データ３２が関連付けられている場合、特定色除去部２４は、その複数の色指定データ３２によりそれぞれ指定される複数の色を、そのユーザーに対応する複数の特定色として特定し、原稿画像における、複数の特定色からユーザーにより選択された特定色の箇所を除去するようにしてもよい。
【００３３】
さらに、色指定データ３２は、色値（例えばＲＧＢ値）を示すデータや、当該色指定データ３２により指定される色で描かれた、文字または図形を示す画像データである。
【００３４】
色指定データ３２が上述のような画像データである場合、特定色除去部２４は、色指定データ３２に基づき、その文字または図形の色範囲を特定色として特定し、原稿画像における、色範囲に属する色の箇所を除去する。
【００３５】
例えば、その文字または図形が、ペンなどを使用して手書きで描かれている場合、文字または図形の書き出しと書き終わりとで、色味（彩度など）が変化している可能性があるので、書き出しから書き終わりまでの色の範囲に属する色が、特定色として特定される。
【００３６】
画像処理部２５は、特定色除去部２４により特定色が除去された後の原稿画像に対して、ＲＧＢからＣＭＹＫへの色変換などの所定の画像処理を実行し、印刷用の画像データを生成する。
【００３７】
また、色指定データ登録部２６は、ユーザーのユーザー操作などに従って、色指定データ３２を記憶装置１４に記憶させることで登録する。このとき、色指定データ登録部２６は、併せて、ユーザー登録データ３１に、そのユーザーに関連付けて色指定データ３２を登録する。
【００３８】
色指定データ３２が上述のような画像データである場合、色指定データ登録部２６は、画像読取装置１２により色指定原稿から読み取られた画像の画像データを、上述のような画像データとして記憶装置１４に記憶させることで登録する。
【００３９】
その際、その画像データの背景色が白ではない場合には、色指定データ登録部２６は、その画像データの背景色を白に変換した後で、その画像データを登録するようにしてもよい。
【００４０】
次に、上記画像処理装置１の動作について説明する。図２は、図１に示す画像処理装置１の動作について説明するフローチャートである。
【００４１】
コピージョブの場合、まず、制御部２１は、画像読取装置１２を制御して、画像読取装置１２に原稿画像を読み取らせ、その原稿画像を取得する（ステップＳ１）。
【００４２】
次に、制御部２１は、ユーザー設定やジョブ設定において、特定色除去モードが設定されているか否かを判定する（ステップＳ２）。
【００４３】
特定色除去モードが設定されている場合、ユーザー特定部２３は、取得した原稿画像に対応するユーザー（つまり、原稿画像を読み取らせたユーザー）を上述のようにして特定する（ステップＳ３）。
【００４４】
次に、特定色除去部２４は、ユーザー登録データ３１および色指定データ３２に基づいて、特定されたユーザーに対応する特定色を特定する（ステップＳ４）。そして、特定色除去部２４は、取得された原稿画像において、１画素ずつ、各画素の画素値がその特定色に合致するか否かを判定し、画素値がその特定色に合致する画素について、画素値を背景色などに変換することで、特定色の箇所を除去する（ステップＳ５）。
【００４５】
一方、ユーザー設定やジョブ設定において、特定色除去モードが設定されていない場合には、ステップＳ３〜Ｓ５の処理は実行されない。
【００４６】
そして、画像処理部２５は、特定色除去モードの場合には特定色が除去された後の原稿画像に対して所定の画像処理を実行し、印刷用画像データを生成する（ステップＳ６）。制御部２１は、印刷装置１１を制御して、生成された印刷用画像データに基づく画像を印刷装置１１に印刷させる（ステップＳ７）。
【００４７】
以上のように、上記実施の形態によれば、ユーザー特定部２３は、原稿画像に対応するユーザーを特定する。特定色除去部２４は、そのユーザーに対応する特定色を特定し、その原稿画像における特定色の箇所を除去する。
【００４８】
これにより、複数のユーザーの所望の色の箇所が、原稿画像からそれぞれ自動的に除去される。
【００４９】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００５０】
例えば、上記実施の形態において、制御部２１は、特定色除去の前または後の原稿画像を表示装置１５にプレビュー表示するようにしてもよい。特定色除去の前のプレビュー表示において、例えば、除去される特定色の箇所の強調表示（枠付け、点滅表示、目印の表示など）を行うようにしてもよい。また、特定色除去の後のプレビュー表示において、例えば、除去された特定色の箇所の強調表示（枠付け、点滅表示、目印の表示など）を行うようにしてもよい。
【００５１】
また、上記実施の形態において、色指定データ登録部２６は、ユーザー操作に従って、自己の登録した色指定データ３２を削除するようにしてもよい。
【産業上の利用可能性】
【００５２】
本発明は、例えば、コピー機、複合機などの画像形成装置に適用可能である。
【符号の説明】
【００５３】
１  画像処理装置
１４  記憶装置
２３  ユーザー特定部
２４  特定色除去部
２６  色指定データ登録部
３１  ユーザー登録データ
３２  色指定データ
【図１】
2018186434.tif 000003
【図２】
2018186434.tif 000004